(57)【特許請求の範囲】
【請求項１】
円筒形貯槽周壁上部の解体補修箇所下部周壁面に周環状の補強リングを水平に取付け、その補強リングを取付けた周壁の上部を水平に周切断して上段及び下段の周壁部に分離し、その分離した下段周壁部の上端縁に、前記分離した上段周壁部を回転自在に支持するローラーを所定間隔で配設し、その配設したローラーの上に回転自在に支持した前記上段周壁部の上端部を部分切断して撤去する工程と、その部分切断撤去された上段周壁部を前記ローラーの上で回転移動する工程とを順次繰り返して一定場所で補修が必要な上段周壁部の全てを切断撤去することによって解体し、しかるのち、その上段周壁部を解体したローラーの上に上段周壁部を一定場所で組立てて補修することを特徴とする円筒形貯槽周壁上部の解体補修工法。
【請求項２】
上記ローラーの上に回転自在に支持した上記上段周壁部の下部側面に、上記下段周壁部の上部側面に係合するサイドローラーを設置して施工することを特徴とする請求項１記載の円筒形貯槽周壁上部の解体補修工法。
【発明の詳細な説明】
【０００１】
【発明の属する技術分野】
この発明は、鋼製円筒形の周壁を有する貯槽、例えば原油等を貯蔵する大型浮屋根式貯槽等の補修が必要な周壁上部を解体し、その周壁上部を解体した位置に新規の周壁部材を用いて新規の周壁上部を組立てて補修する解体補修工法に関するものである。
【０００２】
【従来の技術】
鋼製円筒形の周壁を有する貯槽の大型浮屋根式貯槽は、一部を切り欠いて示した正面説明図の図４にその概略構造を示したように、円筒形貯槽２１の周壁２２の上部には、周壁２２が強風等によって変形したり、座屈したりしないように、補強材として外方に延出して形成した鍔状のウィンドガーダー２３がブラケット２４を用いて溶接によって取付けられている。このウィンドガーダー２３が取付けられている周壁２２の上部は、ウィンドガーダー２３との接合部に雨水が溜りやすく、更にウィンドガーダー２３の取付溶接時に溶接の熱を受けているので、腐食が発生しやすい。近年その腐食が発生した周壁２２の上部を解体し、補修する必要性が増加してきている。
【０００３】
そして、その腐食が発生した周壁上部の従来解体補修工法の第１番目工法としては、図示は省略するが、まず、その周壁上部に取付けられているウィンドガーダーをガス切断等で切断してブロック化し、そのブロック化されたウィンドガーダーはクレーン等の重機で降下し、運搬して撤去する。次いで、そのウィンドガーダーが取付けられていた周壁上部を、上端部から下方の腐食した補修箇所まで、ガス切断と切断した周壁材の重機による降下運搬撤去とを順次繰り返して解体し、しかるのち、解体した周壁上部箇所に、新規の周壁部材をクレーン等の重機を用いて運び、積上げて新規の周壁上部を組立てる。その後、組立てとその溶接接合を終えた新規の周壁上部に新規のウィンドガーダーを取付けて補修する解体補修工法が一般的に採用されている。
【０００４】
また、第２番目の従来工法としては、図示を省略するが、基礎上に敷設された底板と周壁下端部との接合部を切断し、周壁下部の外側面に取付けたブラケットに、基礎上に載置したジャッキの頭部を当接して前記底板との接合部を切断した周壁を持ち上げ、そのジャッキで持ち上げた状態で周壁の下部を切断撤去する工程と、その下部を切断撤去された周壁をジャッキで降下し、その降下した周壁に前記ブラケットを付替えて前記ジャッキを掛けかえる工程を交互に繰り返して下方から上方に向けて補修箇所まで周壁を切断撤去して解体し、しかるのち、その解体した周壁箇所は、解体と逆の手順で、前記ジャッキで持ち上げられている周壁の下部に新規の周壁部材を組込んで接合する工程と、その持ち上げられている周壁の前記ブラケットを付替えて前記ジャッキを掛けかえ、新規の周壁部材を組込んだ周壁を持ち上げる工程を順次繰り返して新規の周壁を組立てた後、ジャッキで持ち上げていた周壁を降下させて底板と接合して補修する工法によって、腐食していた周壁を地上付近でジャッキを用いて解体補修する周知工法がある。
【０００５】
また、第３番目の従来工法として、同じく図示を省略するが、地上付近の壁厚さが厚い周壁を水平に対して一定の傾斜を有する切断線の螺線状に周切断して上下段の周壁部に分離し、その下段周壁部の上端縁にローラーを設置し、そのローラーの上に回転自在に上段周壁部を載置し、その載置した上段周壁部を下方から上方に向けて、その上段周壁部の下部を部分切断撤去する工程と、前記ローラーの上で回転させて上段周壁部を降下させる工程とを順次繰り返して補修箇所まで上段周壁部を解体し、しかるのち、解体と逆手順で、上段周壁部の下部に新規の周壁部材を組込んで接合する工程とローラーの上で回転させて上段周壁部をせり上げる工程とを交互に繰り返して上段周壁部を組立てる工法によって、腐食していた周壁を地上付近の一定場所でローラーを用いて解体補修する発明（特公平３−４５１８７号公報参照）が知られている。
【０００６】
【発明が解決しようとする課題】
しかしながら、上述のような従来解体補修工法においては、第１番目の従来工法では、解体補修する貯槽の全周に亙って周壁を切断撤去して解体する作業と新規周壁部材を運んできて組立てる作業とを施工しなければならないので、貯槽と接続する配管を撤去してクレーン等の重機移動が可能な空地を解体補修する貯槽の周囲に確保する必要性があり、更に、切断した解体片や新規周壁部材の貯槽外周移動、或は工事作業に必要な治具や道具の貯槽外周移動を行う繁雑さ等から作業の安全性及び能率性の低下を余儀なくされた。また、ウィンドガーダーが取り外された状態で高所の周壁上部を解体補修するため、工事期間中に強風がおそってきたときには、周壁を倒壊させる恐れ等の心配があった。
【０００７】
また、第２番目のジャッキを用いた従来の解体補修工法は、強風を受け難い低所で工事が施工できる利点は有するものの、周壁の上部を解体補修するために、周壁の下部を解体補修しなければならない余分な工事が生じ、かつ、その解体補修の作業は、上記第一番目の従来解体補修工法と同様に、解体補修する貯槽の全周に亙って作業を行わなければならないため、その貯槽の周囲にクレーン等の重機移動が可能な空地を確保しなければならない等の上記第一番目の従来解体補修工法が保有する問題を内在していた。
【０００８】
第３番目のローラーを用いた従来の解体補修工法は、強風を受け難い低所の一定場所で施工でき、かつ、クレーン等の重機が移動可能な空地を解体補修する貯槽の周囲に確保する必要もなく、更に、解体作業や組立て作業等に必要な治具や道具等を移動する繁雑さがない等の利点は有するものの、第２番目のジャッキを用いた従来解体補修工法が有する低所での施工が生じさせる問題、つまり補修が必要な周壁の上部を解体補修するために周壁の下部をも解体補修しなければならない問題を有していた。
【０００９】
この発明は、上述のような問題点に鑑みてなされたもので、解体補修する貯槽の周囲にクレーン等の重機周回可能な空地を確保する必要がなく、かつ解体作業や組立て作業等に必要な治具や道具等を移動する必要もなく、更に解体補修を必要とする貯槽の周壁上部のみを安全に効率良く一定場所で解体補修できるようにした円筒形貯槽周壁上部の解体補修工法を提供するものである。
【００１０】
【課題を解決するための手段】
この発明に係る円筒形貯槽周壁上部の解体補修工法は、円筒形貯槽周壁上部の解体補修箇所下部周壁面に周環状の補強リングを水平に取付け、その補強リングを取付けた周壁の上部を水平に周切断して上段及び下段の周壁部に分離し、その分離した下段周壁部の上端縁に、前記分離した上段周壁部を回転自在に支持するローラーを所定間隔で配設し、その配設したローラーの上に回転自在に支持した前記上段周壁部の上端部を部分切断して撤去する工程と、その部分切断撤去された上段周壁部を前記ローラーの上で回転移動する工程とを順次繰り返して一定場所で補修が必要な上段周壁部の全てを切断撤去することによって解体し、しかるのち、その上段周壁部を解体したローラーの上に上段周壁部を一定場所で組立てて補修することによって施工するもので、効率良く短期間かつ安全に施工するものである。
【００１１】
また、上記ローラーの上に回転自在に支持した上記上段周壁部の下部側面に、上記下段周壁部の上部側面に係合するサイドローラーを設置して施工するもので、工事期間中に強風がおそってきたとしても、ローラー上の上段周壁部を脱落させる心配なく、より安全に工事を施工できるようにした円筒形貯槽周壁上部の解体補修工法である。
【００１２】
【発明の実施の形態】
この発明の実施形態の一例として、大型浮屋根式円筒形貯槽の周壁上部を解体し、補修する工事例を、図１及至図３に基づいて説明する。
【００１３】
まず、鋼製円筒形の周壁２を有する大型浮屋根式の円筒形貯槽１の補修が必要な周壁２の上部、つまり、ブラケット４を用いてウインドガーダー３が取付けられている上部周壁２の下部周壁内外面全周に亙って作業足場５を取付け、その作業足場５を利用して、周壁２の解体補修箇所下部の周壁面に、周環状の補強リング６を水平に取付ける。
【００１４】
そして、その補強リング６を取付けた上部の周壁２を水平帯状にガス切断等で切り欠き、その水平帯状に切り欠いた上部の周壁２、つまり、上段周壁部２Ｕを回転自在に支持する複数のローラー９を、前記水平帯状に切り欠いた下部の周壁２、つまり下段周壁部２Ｂの上端縁に、所定間隔で全周に亙って配設する。
【００１５】
補強リング６は、工事期間中に強風が襲ってきたとしても、ウインドガーダー３を取り外して解体補修中の周壁２が変形したり、座屈したりしない剛性を与え、かつ壁厚さの薄い上部周壁２を切断して分離した下段周壁部２Ｂの開口した上端縁が上段周壁部２Ｕを確りと支持し得る剛性を与えるように溝形鋼やＨ形鋼などの形鋼等で形成し、図２及び図３に示した周壁２の内面、又は外面或は内外の両面に、図３に示したように周壁２に一端部を溶着したＬ字状の板治具７とテーパーピンの角矢治具８を用いた取付けや溶接による溶着取付け等で、周壁２に水平、かつ周環状に取付けて設ける。なお、既設ウィンドガーダー３をブロック状に切断したのち、補強リング６、或は周壁２の外面作業足場５を兼用した補強リング６に転用すれば、経済的な解体補修工事が可能となる。
【００１６】
上述のように補強リング６を取付けた周壁２の上部を水平帯状に切り欠き、周切断して上段及び下段の周壁部２Ｕ、２Ｂに分離し、その分離した上段周壁部２Ｕが下段周壁部２Ｂの上端縁に配設したローラー９、９、・・・の上で回転自在に支持されるように形成する。このように形成しておいて、図１に示すように、ローラー９、９、・・・の上に回転自在に支持した上段周壁部２Ｕ及びその上段周壁部２Ｕに取付けられているウィンドガーダー３の上端部をガス切断等で部分切断し、その部分切断したブロック状の解体片はクレーン等の重機１０を用いて降下し撤去する。そして、重機１０を据え置いた近傍位置の上段周壁部２Ｕの上端部とその上段周壁部２Ｕ上端部に取付けられているウィンドガーダー３の切断撤去が終えた上段周壁部２Ｕはローラー９、９、・・・によって図１の矢印左回り方向に回転させて移動する。なお、上段周壁部２Ｕの回転移動方向は、解体が完了するまで一定の方向であれば、図示と逆の右回り方向であってもよい。
【００１７】
次いで、据え置いた重機１０の近傍位置に回転移動されてきた上段周壁部２Ｕ及びその上段周壁部２Ｕに取付けられているウィンドガーダー３の上端部を再びガス切断等で部分切断し、その部分切断したブロック状の解体片はクレーン等の重機１０を用いて再び降下し撤去する。このように、ローラー９、９、・・・の上に回転自在に支持した上段周壁部２Ｕの上端部を、その上段周壁部２Ｕ上端部に取り付けられているウィンドガーダー３を含めて部分切断し撤去する工程と、その部分切断撤去された上段周壁部２Ｕをローラー９、９、・・・の上で一定方向に回転移動する工程とを順次繰り返して重機１０を据え置いた一定場所で補修が必要な上段周壁部２Ｕの全てを上部から下部に向かって順次切断撤去することによって解体する。
【００１８】
しかして補修が必要な上段周壁部２Ｕの全ての解体が重機１０を据え置いた一定場所で終了したのち、その上段周壁部２Ｕを解体したローラー９、９、・・・の上に重機１０を用いて新規の周壁部材を積上げて組立てる。かくして、重機１０を据え置いた近傍位置の上段周壁部２Ｕの一段円周一部を構成する上段周壁部２Ｕの組立てが終了すると、その組立が終えた上段周壁部２Ｕはローラー９、９、・・・を用いて一定方向の円周方向に回転移動する。そしてその回転移動したあとに、再び重機１０を用いて新規の周壁部材を積上げて組立てる。
【００１９】
このように、上段周壁部２Ｕを解体したローラー９、９、・・・の上に新規の周壁部材を積上げて組立てる工程と、その周壁部材を積み上げて組み立てた上段周壁部２Ｕをローラー９、９、・・・の上で回転移動する工程とを交互に繰り返して上段周壁部２Ｕの全てを重機１０を据え置いた一定場所で組立てる。
【００２０】
組立てが終えて円周方向に回転移動させた上段周壁部２Ｕは、順次引き続いて移動された組立て場所と異なる一定場所で溶接接合し、かつその溶接接合部も移動された溶接場所と異なる他の一定場所で順次連続して検査する。
【００２１】
上記のように組立て、接合して検査した上段周壁部２Ｕに取付けられるウィンドガーダー３は、上述の上段周壁部２Ｕの組立方法と同様な方法、つまり上段周壁部２Ｕに新規のウィンドガーダー部材を新規のブラケット材を用いて取付ける工程と、その新規のウィンドガーダー部材を取付けた上段周壁部２Ｕをローラー９、９、・・・の上で回転移動する工程とを交互に繰り返して上段周壁部２Ｕに取付けられる全てのウィンドガーダー３を、重機１０を据え置いた一定場所で取付ける。なお、上段周壁部２Ｕへの新規ウィンドガーダー３の取付方法は、上記方法に限らず、例えば上段周壁部２Ｕを組立てる際に、地上で新規の周壁部材に、新規のブラケット材を用いて新規のウィンドガーダー部材を取付けておいて、そのウィンドガーダー部材を取付けた新規周壁部材を組立てる方法、つまり、効率の良い地上での溶接作業を増加し、かつウィンドガーダー部材を取付けることによって剛性を高めた新規周壁部材を容易に積上げて組立てる方法等を用いてウィンドガーダー３の取付けを施工してもよい。
【００２２】
かくして、新規のウィンドガーダー３が取付けられた上段周壁部２Ｕは、図３に示したように、上段周壁部２Ｕの内壁面に形鋼等で形成して取付けたブラケット１１に頭部を当接し、下段周壁部２Ｂの内壁面に取付けられている補強リング６の上に据え置いたジャッキ１２、１２、・・・によって支持した後、ローラー９、９、・・・を取り外し、上段周壁部２Ｕ及び下段周壁部２Ｂの外壁面に取付けたコの字板状の治具１３、１３に溝形鋼等で形成して挿入したガイド１４によって降下の案内をさせて下段周壁部２Ｂの上端部まで上段周壁部２Ｕを降下し、その上段周壁部２Ｕの下端部と下段周壁部２Ｂの上端部を溶接接合し、その溶接接合部の検査を施工し、補修を完了させる。
【００２３】
なお、上段周壁部２Ｕ及び下段周壁部２Ｂの外壁面に取付けたコの字板状の治具１３、１３に挿入したガイド１４は、上段周壁部２Ｕが水平度を保って降下し得るように隔接間隔をもって全周に亙って配設する。また、図３の実施形態例においては、ジャッキ１２を補強リング６の上に据え置いて、工事施工の能率を高め、経済的に施工しているが、上段周壁部２Ｕに設置したようなブラケット１１を下段周壁部２Ｂに設置し、そのブラケット１１の上にジャッキ１２を据え置いて施工してもよい。
【００２４】
また、下段周壁部２Ｂの上端縁に配設したローラー９、９、・・・の上で上段周壁部２Ｕを解体する際、及び上段周壁部２Ｕを解体したローラー９、９、・・・の上で新規の周壁部材を積上げて新規の上段周壁部２Ｕを組立てる際には、図２に示したように、上段周壁部２Ｕの下部両側面に、下段周壁部２Ｂの上部両側面に係合するサイドローラー１５を設置して施工する。このサイドローラー１５は、図２に示したように、形鋼等でコの字状の形状に形成した上方端部を上段周壁部２Ｕの下部側面に溶接接合し、車輪１６を取付けた下方端部が下段周壁部２Ｂの上部側面に隔接間隙をもって対向する如く形成する。
【００２５】
このように形成したサイドローラー１５を、周壁２の内外両側面に対向させ、かつ隔接間隔をもって全周に亙って設置し、工事期間中に強風が襲ってきたとしても解体補修中の上段周壁部２Ｕがローラー９、９、・・・の上から水平移動して脱落せず、かつ上段周壁部２Ｕの解体補修工事に支障を生じさせないように上段周壁部２Ｕがローラー９、９、・・・の上で回転自在な状態のまま、分離した上下段の周壁部２Ｕ、２Ｂを連結するように設置し、前述の解体補修工事をより安全に施工する。尚、上記図２の形態例においては、サイドローラー１５を周壁２の内外両側面に対向させて全周に亙って配置しているが、隔接間隔をもって一方側の内側全周のみ又は外側全周のみに配置し、経済的に配設してもよい。
【００２６】
また、上述の発明の実施形態例は、大型浮屋根式円筒形貯槽の工事例を紹介したが、この発明に係る工法は、円筒形の周壁を有する鋼構造物や貯槽、例えば浮屋根を有しないオープントップタンクなどの周壁上部を解体補修する工事にも適用することができる工法である。
【００２７】
【発明の効果】
叙述のように、この発明に係る円筒形貯槽周壁上部の解体補修工法は、補強リングを解体補修箇所下部の周壁面に取付けて施工するので、補強リングの上部周壁を切断分離した下段周壁部の壁厚さの薄い開口上端縁が補強されて、解体補修する上段周壁部をローラーを介して確りと下段周壁部が支持することができるとともに、ウィンドガーダーを取り外して施工している工事期間中に強風がおそってきたとしても、解体補修中の周壁を倒壊させるおそれの心配なく安全に施工することができる。また、水平切断線で上下段に分離した下段周壁部の上端縁に配設したローラーの上で、補修が必要な上段周壁部を部分切断撤去と回転移動とを順次繰り返して重機を据え置いた一定場所で解体し、かつ新規周壁部材の積上げ組立てとその組立てた周壁の回転移動とを交互に繰り返して重機を据え置いた一定場所で新規上段周壁部の全てを組立てて補修するため、補修が必要な上段周壁部のみを効率良く短期間かつ安全に解体補修することができる。
【００２８】
また、ローラーの上に回転自在に支持した上段周壁部の下部側面に、下段周壁部の上部側面に係合するサイドローラーを設置して施工する円筒形貯槽周壁上部の解体補修工法は、サイドローラーによって、上段周壁部が回転自在な状態で分離したまま、上下段の周壁部を連結するので、解体補修の工事期間中に強風がおそってきたとしても、上段周壁部が水平移動して脱落する心配はなく、より安全に効率良く解体補修の工事を施工することができる。
【００２９】
【図面の簡単な説明】
【図１】  この発明に係る円筒形貯槽周壁上部の解体補修工法の一例を示し、ローラーの上に回転自在に支持した上段周壁部の状況を一部省略し、一部簡略誇張して示す正面概要説明図である。
【図２】  サイドローラーの設置例を一部省略し、一部簡略誇張して示す部分概要斜視説明図である。
【図３】  ローラー撤去の状況を一部省略し、一部簡略誇張して示す部分断面説明図である。
【図４】  大型浮屋根式貯槽の概略構造例を一部切り欠いて示した正面説明図である。
【符号の説明】
１，２１  円筒形貯槽                ２，２２  周壁
２Ｂ  下段周壁部                    ２Ｕ  上段周壁部
３，２３  ウィンドガーダー
４，２４  ウィンドガーダーのブラケット
５  作業足場                        ６  補強リング
７  Ｌ字状の板治具                  ８  角矢治具
９  ローラー                      １０  重機
１１  ジャッキのブラケット          １２  ジャッキ
１３  コの字状板の治具              １４  ガイド
１５  サイドローラー                １６  サイドローラーの車輪
【図１】
0003747420.tif 000002
【図２】
0003747420.tif 000003
【図３】
0003747420.tif 000004
【図４】
0003747420.tif 000005